(57)【要約】【課題】簡単に紐体の長さを調整して大きさを調整することができる衣服を提供する。【解決手段】生地１６に沿って取り付けられた紐通し部１８と、紐通し部１８に連続して設けられ紐通し部１８の延長方向に取り付けられたスライドファスナー２０と、スライドファスナー２０に取り付けられスライドファスナー２０を開閉するた絞り用スライダ２４を有する。絞り用スライダ２４に一端部が取り付けられ、他端部が紐通し部１８に挿通されて取り付けられた紐体２６を備える。紐体２６の長さは、紐通し部１８の長さとほぼ等しい。絞り用スライダ２４をスライドファスナー２０に沿って移動させると、紐通し部１８に挿通されている紐体２６の長さが変わり、紐通し部１８が設けられた生地１６が絞られ、衣服の長さや大きさを調整することができる。【選択図】　　　　図１
2004084115.tif 000002
【特許請求の範囲】
【請求項１】
生地に沿って取り付けられた紐通し部と、上記紐通し部に連続して設けられ上記紐通し部の延長方向に取り付けられたスライドファスナーと、上記スライドファスナーに取り付けられ上記スライドファスナーの開閉を行う絞り用スライダと、上記絞り用スライダに一端部が取り付けられ他端部が上記紐通し部に挿通されて取り付けられた紐体が設けられ、上記紐体の長さは、上記紐通し部の長さとほぼ等しく、上記絞り用スライダを上記スライドファスナーに沿って移動させ上記紐通し部に挿通されている上記紐体の長さを調節して、上記紐通し部が設けられた上記生地を絞り、上記衣服の上記紐通し部分の長さを調整することを特徴とする衣服。
【請求項２】
上記紐通し部は上記衣服の開口部の周縁に沿って一周して設けられ、上記スライドファスナーは上記紐通し部の一部に設けられたことを特徴とする請求項１記載の衣服。
【請求項３】
上記スライドファスナーには、上記絞り用スライダに並んでさらに上記スライドファスナーの開閉用スライダが設けられ、上記絞り用スライダと開閉用スライダは、互いに対面する側に、上記スライドファスナーのエレメントの咬合を解除する開き口同士が設けられていることを特徴とする請求項１記載の衣服。
【請求項４】
上記スライドファスナーの一対のファスナーテープ間にはメッシュの生地が取り付けられ、上記スライドファスナーが開いた状態で上記メッシュの生地が露出すること特徴とする請求項１記載の衣服。
【発明の詳細な説明】
【０００１】
【発明の属する技術分野】
この発明は、衣服の長さや開口部広さを調整する機能を有する衣服に関する。
【０００２】
【従来の技術】
従来、袖口やズボンの裾等の開口部の径を小さくする調節具として、開口部周縁に環状の紐体を挿通し、紐体の一部を衣服から露出させ、この紐体の露出した部分に係止具が取り付けられたものがある。この調節具の使用方法は、紐体を引いて開口部周縁に挿通した紐体の環を小さくし、開口部を絞り、紐体の任意の位置に係止具を固定し、係止具が上記透孔の周縁部に係止され紐体が衣服に戻らないようにする。そして衣服に挿通されている紐体を短くし、開口部を小さくする。
【０００３】
また、袖の長さやズボンの、長手方向の長さを調整する調節具もある。これは、袖やズボンの長手方向に沿って紐体を挿通し、紐体の一端部は袖やズボンの内側に固定され、他端部は衣服に設けられた透孔を通過して衣服の外側に延出し、延出した部分に、紐体の係止具が取り付けられたものである。このような袖やズボンの、長さ方向の調節具の使用方法は、紐体を引いて紐体の任意の位置に係止具を固定し、衣服に挿通されている紐体を短くし、衣服を絞って短くする。
【０００４】
このような調節具は、紐体に係止される係止具の位置を変えることで、衣服に挿通されている紐体の長さを変更し、衣服の絞り量を変えて衣服の長さや開口部の大きさを部分的に調整することができるようにしたものである。
【０００５】
【発明が解決しようとする課題】
上記従来の技術の場合、衣服の絞り量を大きくすると紐体が衣服の外側に延出する量が長くなり、他の部材に引っかかる恐れがあり、安全性に問題があった。また、紐体の長さを調節する操作は、紐が摺動可能な状態に係止具を保持しながら、紐体を適した長さに引かなければならず、面倒であった。
【０００６】
この発明は上記従来の問題点に鑑みてなされたものであり、外観がすっきりとし、安全性が高く、簡単に紐体の長さを調整して大きさを調整することができる衣服を提供することを目的とする。
【０００７】
【課題を解決するための手段】
この発明は、生地に沿って取り付けられた紐通し部と、上記紐通し部に連続して設けられ上記紐通し部の延長方向に取り付けられたスライドファスナーと、上記スライドファスナーに取り付けられ上記スライドファスナーを開閉するた絞り用スライダと、上記絞り用スライダに一端部が取り付けられ他端部が上記紐通し部に挿通されて取り付けられた紐体が設けられている衣服である。上記紐体の長さは、上記紐通し部の長さとほぼ等しい。そして、上記絞り用スライダを上記スライドファスナーに沿って移動させると、上記紐通し部に挿通されている上記紐体の長さが変わり、上記紐通し部が設けられた上記生地が絞られ、上記衣服の上記紐通し部分の長さを調整する。
【０００８】
また、上記紐通し部は上記衣服の開口部の周縁に沿って一周して設けられ、上記スライドファスナーは上記紐通し部の一部に設けられ、上記紐体の長さは上記紐通し部の長さから上記スライドファスナーの長さを差し引いたものである。
【０００９】
また、上記スライドファスナーには、上記絞り用スライダに並んでさらに上記スライドファスナーの開閉用スライダが設けられ、上記絞り用スライダと開閉用スライダは、上記スライドファスナーのエレメントの咬合を解除する開き口同士が互いに対面して設けられている。
【００１０】
また、上記スライドファスナーの一対のファスナーテープ間には、上記衣服の裏側に面するメッシュの生地が取り付けられ、上記スライドファスナーが開いている状態で上記メッシュの生地が露出して上記衣服の通気を確保する。その他、このメッシュ生地部分を他の伸びる素材に置き換えて衣服の伸縮性を調整したり、他の部分との色違いにして配色を変えデザイン性を向上させたりしても良く、これらの変更を適宜組み合わせても良い。
【００１１】
この発明の衣服は、絞り用スライダをスライドファスナーに沿って移動させると、絞り用スライダに取り付けられた紐体の端部の位置がかわり、生地が絞られて衣服の長さや開口部の大きさを短くする。絞り用スライダの位置によっては、スライドファスナーの一対のエレメントが開口する部分が生じるが、開口する部分からメッシュの生地を通して通気が可能となる。通気を遮断する場合は、開閉用スライダを絞り用スライダに隣接するまで移動させることでエレメントを咬合させ、閉鎖する。
【００１２】
【発明の実施の形態】
以下、この発明の実施の形態について図面に基づいて説明する。図１〜図３は、この発明の第一実施形態を示すものであり、この実施形態の衣服１０はズボン１２であり、ズボン１２の裾１４に、生地１６を裏側に折り返してミシンで縫い付けた紐通し部１８が一周して形成されている。紐通し部１８の約半周には、スライドファスナー２０が取りつけられている。スライドファスナー２０の一対のファスナーテープには、互いに咬合して閉じ解除して開く一対のエレメント２２の列が各々設けられている。エレメント２２には、エレメント２２に沿って摺動しエレメント２２を開閉する絞り用スライダ２４が設けられている。絞り用スライダ２４は、スライドファスナー２０の図面上右端に位置する端部２０ａ側が、スライドファスナー２０を閉鎖する閉じ口であり、スライドファスナー２０の図面上左端に位置する端部２０ｂ側が、スライドファスナー２０を開く二股状の開き口である。絞り用スライダ２４には持手が付けられている。
【００１３】
絞り用スライダ２４には、紐体２６が取りつけられている。紐体２６は、伸縮性のないものや、ゴム紐などの弾性を有するもの等適宜選択される。紐体２６の一方の端部２６ａが絞り用スライダ２４本体または持ち手に固定され、紐体２６の他方の端部２６ｂは、紐通し部１８に挿通され裾１４をほぼ半周してスライドファスナー２０の端部２０ｂ近傍に達し、縫い付けられて固定されている。紐体２６の長さは、紐体２６端部２６ｂの取り付け位置と、スライドファスナー２０端部２０ａの間の長さとほぼ等しい。
【００１４】
スライドファスナー２０のエレメント２２には、絞り用スライダ２４に並んで開閉用スライダ２８が設けられている。開閉用スライダ２８は、絞り用スライダ２４と、スライドファスナー２０端部２０ｂの間に取りつけられている。開閉用スライダ２８は、スライドファスナー２０の端部２０ａ側が、スライドファスナー２０を開口する二股状の開き口であり、スライドファスナー２０の端部２０ｂ側が、スライドファスナー２０を閉鎖する閉じ口である。開閉用スライダ２８にも持ち手が付けられている。
【００１５】
スライドファスナー２０の内側には、各ファスナーテープ間に細かい網目状の生地であるメッシュ３０がゆとりを有して取りつけられている。メッシュ３０は、メッシュ３０に対向する紐通し部１８に切れ目を入れるなどして、衣服１０の裏側に面し通気を確保している。
【００１６】
次にこの実施形態の衣服１０の使用方法について説明する。裾１４の生地１６を絞らずに着用する場合は、図１に示すように絞り用スライダ２４をスライドファスナー２０の端部２０ａ付近に位置させる。紐体２６と紐通し部１８の長さがほぼ等しいため、生地１６が絞られず裾１４は開口が広げられた状態となる。このとき、開閉用スライダ２８がスライドファスナー２０の端部２０ｂに位置し、スライドファスナー２０が開口し、メッシュ３０から衣服１０の内側の通気が確保される。
【００１７】
裾１４を絞るときは、図２に示すように絞り用スライダ２４をスライドファスナー２０の反対の端部２０ｂ付近に移動する。すると、紐体２６の端部２６ａは絞り用スライダ２４とともにスライドファスナー２０の端部２０ｂまで引き寄せられ、絞り用スライダ２４の移動分だけ、紐通し部１８に挿通される紐体２６が短くなり、生地１６にしわをよせながら裾１４を絞る。これにより裾１４の開口を小さくする。
【００１８】
裾１４を絞らずになおかつ通気を遮断するときは、図３に示すように絞り用スライダ２４を端部２０ａに位置し、さらに開閉用スライダ２８を絞り用スライダ２４に隣接させる。すると、スライドファスナー２０が閉じられて通気を遮断する。
【００１９】
裾１４の絞り量は、絞り用スライダ２４をスライドファスナー２０上の任意の位置に移動することで任意に設定することができる。メッシュ３０の通気量は、開閉用スライダ２８をスライドファスナー２０上の任意の位置に移動して任意に設定する。
【００２０】
この実施形態の衣服１０によれば、簡単に紐体２６の長さを調整して裾１４の開口広さを任意に調整することができる。紐体２６は、紐通し部１８に挿通されているため、生地１６の外側に出て何かに引っかかる恐れがなく安全であり、外観がすっきりしたものとなる。衣服１０は着用者の身体の大きさや運動の種類、着用する場所にあわせて衣服１０の裾の開口広さを調整し、身体に密着させ動きやすいものとなる。また、気候や運動する際の汗の量にあわせて開閉用スライダ２８を移動させてメッシュ３０の露出面積を調整し、通気量を最適な状態にすることができる。
【００２１】
なお、この実施形態の衣服１０は、紐体２６の挿通方向が逆でも良い。この場合、つまりスライドファスナー２０の端部２０ｂを通過して紐通し部１８に挿通され裾１４をほぼ半周してスライドファスナー２０の端部２０ａ近傍に達し、縫い付けられて固定される。そして、絞り用スライダ２４がスライドファスナー２０端部２０ａに位置するときは、裾１４は絞られ開口が小さくなり、スライドファスナー２０の開口からメッシュ３０が露出し、通気が確保される。この場合、上述の実施形態にはない、裾１４の開口を小さくしなおかつ通気を確保する状態が得られる。
【００２２】
次にこの発明の第二実施形態について図４，図５に基づいて説明する。この実施形態の衣服３２はズボン３４であり、ズボン３４の脇３６には、生地３８の裏側に形成した紐通し部４０が設けられている。紐通し部４０は、足の付け根部３９付近から裾４１に達して形成され、足の付け根部３９側を端部４０ａとし、裾４１側を端部４０ｂとする。紐通し部４０のほぼ中心から、紐通し部４０の端部４０ａに達して、スライドファスナー４２が設けられている。ここで、スライドファスナー４２の上端を端部４２ａとし、スライドファスナー４２の下端を端部４２ｂとする。スライドファスナー４２には、互いに咬合して開閉する一対のエレメントの列が設けられている。エレメントには、エレメントに沿って摺動しエレメントを開閉する絞り用スライダ４４が設けられている。
【００２３】
絞り用スライダ４４には、紐体４６が取りつけられている。紐体４６の一方の端部４６ａが絞り用スライダ４４の本体または持ち手に固定され、紐体４６の他方の端部４６ｂは、紐通し部４０に挿通され紐通し部４０の裾４１側の端部４０ｂ近傍に縫い付けられて固定されている。紐体４６の長さは、紐通し部４０の裾４１側の端部４０ｂと、スライドファスナー４２の下側の端部４２ｂとの間隔にほぼ等しい。
【００２４】
次にこの実施形態の衣服３２の使用方法について説明する。ズボン３４の長さを生地３８の大きさそのままで着用する場合は、図４に示すように絞り用スライダ４４をスライドファスナー４２端部４２ｂに位置させる。紐体４６と紐通し部４０の長さがほぼ等しいため、生地３８が絞られずズボン３４は生地の大きさそのままの長い状態となる。
【００２５】
ズボン３４の長さを縮めるときは、図５に示すように絞り用スライダ４４をスライドファスナーの反対の端部４２ａ付近に移動する。すると、紐体４６の端部４６ａは絞り用スライダ４４とともにスライドファスナー４２の端部４２ａまで引き上げられ、絞り用スライダ４４の移動分だけ、紐通し部４２に挿通される紐体４６が短くなり、生地３８にしわをよせながら裾４１が持ちあがり、ズボン３４が短くなる。
【００２６】
この実施形態の衣服３２によれば、上記実施の形態と同様の効果を有し、簡単に紐体４６の長さを調整してズボン３４の長さを任意に調整することが出来る。紐体４６は紐通し部４０に収容されているため、外側に出て引っかかる恐れがなく安全であり、外観がすっきりしたものとなる。
【００２７】
なお、図６に示すズボン４８のように、ズボン４８の長さと裾の開口を調節するものでも良い。これは、ズボン４８の脇に、ズボン４８の長さを調整する第一スライドファスナー５０と、第一スライドファスナー５０に設けられた第一スライダ５２と、第一スライダ５２に取り付けられた第一紐体５４と、第一紐体５４が挿通され裾部まで達する図示しない第一紐通し部が設けられている。ズボン４８の裾部には、裾部を絞る第二スライドファスナー５６と、第二スライドファスナー５６に設けられた第二スライダ５８と、第二スライダ５８に取り付けられた第二紐体６０と、第二紐体６０が挿通され裾部を一周する図示しない第二紐通し部が設けられている。
【００２８】
この実施形態では、ズボン４８の長さを調整するときは、第一スライダ５２を第一スライドファスナー５０に沿って移動させる。ズボン４８の裾の開口広さを調整するときは、第二スライダ５８を第二スライドファスナー５６に沿って移動させる。
【００２９】
このズボン４８は、長さ方向を調製する第一スライドファスナー５０と、裾の開口広さを調整する第二スライドファスナー５６が設けられているため、二方向の長さ調整が可能であり、身体の大きさや、運動の種類にあわせてズボン４８の長さや裾の開口広さを変えることができる。
【００３０】
この発明の衣服は、上記各実施形態に限定されるものではなく、ズボン以外に上着の袖等どこにでも応用することができる。紐体や紐体通し部、スライドファスナーの長さや取りつけ位置は、自由に変更可能であり、必要な方向に必要な長さに設けることができる。また、フライドファスナーのテープ間のメッシュはなくても良く、このメッシュ生地部分を他の伸びる素材に置き換えて衣服の伸縮性を調整したり、衣服の他の部分と色違いにして、配色を変えデザイン性を向上させたりしても良く、これらの変更を適宜組み合わせても良い。さらに、紐体は、弾性を有しないものでも良い。
【００３１】
【発明の効果】
この発明の衣服は、簡単に紐体の長さを調整して衣服の長さや開口部の開口広さを調整することができる。さらに、着用者の身体の大きさや運動の種類にあわせて、衣服の長さや開口広さを適した状態に調整することができ、快適に着用することができる。
【図面の簡単な説明】
【図１】この発明の第一実施形態の衣服の斜視図である。
【図２】この実施形態の衣服の開口部を絞った状態を示す斜視図である。
【図３】この実施形態の衣服の開口部を絞らずに通気を閉鎖した状態を示す斜視図である。
【図４】この発明の第二実施形態の衣服の右側面図である。
【図５】この実施形態の衣服の長さを縮めた状態を示す右側面図である。
【図６】この発明の衣服の長さ開口広さの二方向に調整可能な変形例を示す斜視図である。
【符号の説明】
１０　衣服
１２　ズボン
１４　裾
１６　生地
１８　紐通し部
２０　スライドファスナー
２２　エレメント
２４　絞り用スライダ
２６　紐体
２８　開閉用スライダ
３０　メッシュ
【図１】
2004084115.tif 000003
【図２】
2004084115.tif 000004
【図３】
2004084115.tif 000005
【図４】
2004084115.tif 000006
【図５】
2004084115.tif 000007
【図６】
2004084115.tif 000008